(57)【要約】【課題】  曾てに於いて、（運転免許証入りの）財布や携帯電話等の貴重品等を（外出時に、）Ｇパンの後ポケットに入れておいて、スリ、盗難、紛失に遭う事、幾度なく、苦い目に何度も遭っているので、ポケットと貴重品類は、その後鎖で繋げられていても、之れ等の貴重品の落下は、続いていた。どうしたならば之れ等貴重品の落下（紛失）を防ぐ事が出来るか！考えた。―課題が生じた。【解決手段】  日常着ているＧパンやトレーナーのズボンの上から、腰巻き状にした、財布や携帯電話（他、スマホ）等の貴重品を楽に入れる事の出来る大き目のポケットの沢山着いている「腰巻ポシェッター（Ｔ．８３１）」なる物を発明し、財布（他貴重品）とポケット等を鎖で繋いで外出する様にしてからは、貴重品の落下（若しくは紛失）事件は殆ど無くなっていた。【選択図】図１
2019217240.tif 000002
【特許請求の範囲】
【請求項１】
人が為して、人が日常に於いて（終日）携帯（携行）すべく為（時）絶対に落下（紛失）させてはならない様な貴重
2019217240.tif 000005
れる事が出来て、座姿勢でも、之れ等の品々が邪馬にはならない様な、主にジーンズやメッシュ生地にボタン、ファースナー（ベルト付）等を設けて設計され、ポケットを裏表てに数多く取り着ける事の出来る、「腰巻ポシェッター（Ｔ．８３１）」と命名される、人の腰巻状の衣類。
【発明の詳細な説明】
【技術分野】
【０００１】  電子機器（携帯電話他スマホ類）等で、車や家屋（玄間）のロック、解除等が出来る時代に入っている今日、この頃であっても、之れ等の電子機器類では、従来にあるズボン（特に、Ｇパンやトレーナー）等のポケットには、収納して、持ち運びしずらかった事は、かつては、筆者が外出（作業時）に、之れ等の物を（バッグの中に入れておいても、）落下させ、数度に渡って盗難に遭って苦い目にあっている事を思い出していた。――どうすれば、之れ等の貴重品を落下（紛失）させないで済むか！を考えた際に、之れ等の物をチェーンで繋いでゆったりと入れ、膚身離さずにして、ファースナーで閉じ込めて、持ち運び出来る、三次元上のポケットの多く着いた、腰巻状の「腰巻「ポシェッター（Ｔ．８３１）」なる物を発明し、この中に貴重品を入れ物を持ち運びすると、紛失事故は無くなっていた。
【背景技術】
【０００２】  特に無し。
【先行技術文献】
【０００３】  特に無し
【発明の概要】
【発明が解決しようとする課題】
【０００４】  筆者の職業は作家である為、一年中、エアコンの効いた室内に於いて、Ｔシャツにトレーナ（若しくは、Ｇパン）素形で日がな（一日中）机に向って仕事をしており、食事は、ハンバーガーショップで大概間に合わせて、夕方は５００円のサウナーに入って一日（毎日）を終わらせている中、――Ｇパンやトレーナーのポケットは、筆者にとっては甚だ貧弱に感じられるものであり、かつてに於いて、（運転免許証入りの）財布や携帯電話等の貴重品を（外出時に、）Ｇパンの後ポケットに入れておいて、スリ、盗難、紛失に遭う事、幾度なく苦い目に何度も遭っているので、ポケットと財布等は、その後鎖で繋げられていても、財布や携帯電話等の落下は続いていた。
どうしたならば之れ等貴重品の落下（紛失）を防ぐ事が出来るか等を考えていた。――課題が生じた。
【課題を解決する為の手段】
【０００５】  日常着ているＧパンやトレーナーのズボンの上から、腰巻き状にした、財布や携帯電話等の貴重品を楽に入れる事の出来て、大きなポケットの沢山ついている「腰巻ポシェッター（Ｔ．８３１）なる物を発明し、財布（貴重品）とポケット等を鎖で繋いで外出する様にしてからは、貴重品の落下（若しくは紛失）事件は殆ど無くなっていた。
【発明の効果】
【０００６】  本願発明により、使い易い、（今迄には無かった三次元上の、）ポケットの数が増えるにのみならず、之の発明される
2019217240.tif 000003
入れて、食べ歩きが出来る程迄の便利の良さが生じるものとなっていた。
【図面の簡単な説明】
【０００７】
【図１】  絶対必要、必需品の電子機械（機種）製品や手帳、財布、小間物類が確実に増え続けている現代に於いて、即座に之れ等の物等を収納したり、使用したりし併も、絶対に（落下や、）紛失させる事無く、持ち運び出来る鎖着き（三次元）ポケットの数の多くついた「腰巻状のポシェッター（Ｔ．８３１）」なる物を発明し、之れ等の物は、（人体の、）下半身へ、ボタン、ファースナー、皮ベルト……を用いて、着脱出来る物になっている事を図示。
【０００８】
【図２】  本願発明される「腰巻ポシェッター（Ｔ．８３１）」を腰まわりに装着されたポケットの数を増やし併、之れ等の物を比較的大きな物にして造られる際には、相当に大きな小間物や、老眼鏡他数多くの電化製品等を之れに入れて鎖付きで装備し、持ち歩きをする事が出来る物となる事を図示。
【発明を実施する為の形態】
【０００９】  本願発明される「腰巻ポシェッター（Ｔ．８３１）」を造る（生地）布や素材品は、（造り始めの頭初の頃は、）ジーンズの（生地）布やメッシュの（生地）布等を選んで之れを造り続けられるものになっていたが、（女性側に多く売れ始め、）
【実施例】
【００１０】  それから、後には、大小であり、色違いのポケットを複数之れに取り付けられて、後更に後には、日常着装している衣服の布の色に合わせて、之れら、「腰巻ポシェッター（Ｔ．８３１）を造ってみたが、之れを造る布生地等では、やはり、メッシュ製布や、ジーンズ製布で造られた物に人気が集まっていた。
【産業上の利用の可能性】
【００１１】  「必要は発明の母」というだけの事があって、筆者が試しに、之の「腰巻ポシェッター（Ｔ．８３１）を造って売り出してみた所、特許（出願）製品だという事を誰れも知らないでいても、真以する者も出だして、之れ等は、飛ぶ様に売れ続けていた。――之れ等の事から、之れ等の発明品の市場への参入や、産業上の利用の可能性は極めて大きいと考えられた。
【符号の説明】
【００１２】１．殆ど機能を果してはいない様に見られる、ズボン等に見られるポケットを図示。２．本願発明される、「腰巻ポシェッター（Ｔ．８３１）」の裏側にもポケットが付いている事を図示。３．広げて観せられる「腰巻ポシェッター（Ｔ．８３１）」の身体（下半身）への着け方を図示。４．「腰巻ポシェッター（Ｔ．８３１）」の身体（下半身）への着け方を図示。５．身体（下半身）に本願発明「腰巻きポシェッター（Ｔ．８３１）を「腰ベルトボタン」と「チャックとを締めて着装し終った所を図示。６．「腰巻ポシェッター（Ｔ．８３１）」の腰ベルトボタンを表わす。７．「腰巻ポシェッター（Ｔ．８３１）」のファースナー部分を表わす。８．腰巻きポシェッター（Ｔ．８３１）の向って左り側
2019217240.tif 000004
には、鎖つきの財布（若しくは、携帯電話）等が入れられる事を図示。１０．「腰巻ポシェッター（Ｔ．８３１）」を造る布（生地）や素材品は、ジーンズ布（生地）やメッシュ生地布で造られる事が理想とされた事を図示。１１．主にメッシュ布（生地）で造られた「腰巻ポシェッター（Ｔ．８３１）」の後ろから見た図を表わし、後部面にもカイロ等を入れる事の出来るポケットが着いている事を図示される。１２．「腰巻ポシェッター（Ｔ．８３１）」に取り付けられているポケットの中には、ハンバーグ１個が楽に入いる程の大きさである事を図示。１３．ハンバーグ１個を図示。１４．「腰巻きポシェッター（Ｔ．８３１）」に取り付けられている皮のベルトを図示。１５．「腰巻ポシェッター（Ｔ．８３１）」の内側に付いているポケット中にはカイロ等を入れる事が出来る事を図示。１６．「大き目の「腰巻ポシェッター（Ｔ．８３１）のポケット（内）には、大き目の電子機器類等を入れる事が出来る事を図示。１７．「腰巻ポシェッター（Ｔ．８３１）」のポケットの中へ老眼鏡の出し入れが自在となる事を図示。１８．腰巻ポシェッター（Ｔ．８３１）のボタン留め部分を表わす。１９．スマホ等を表わす。２０．夏期（暑日）本願発明（ジーンズ布で造られる、）腰巻ポシェッターの下履きには丈の極めて短か目のＧパンを履くと、見る者の目に、之れはスカートにも見える他、極めて、健全且セクシーにも見える事の出来る、ジーンズ短パンを履いている事を図示。２１．人の素足を図示。
【図１】
2019217240.tif 000006
【図２】
2019217240.tif 000007